(57)【要約】【課題】電動送風機のファン側の排気を利用した電源コード収納室の冷却と清浄化向上。【解決手段】ファン部５に複数のファン側排気口７を形成した電動送風機４を具備する電動送風機室３と、電源コード２１の巻取装置を収納する電源コード収納室２３とを、隔壁１６によって左右に分離して並列に配置し、隔壁１６の下部には、ファン側排気口７からの排気を電源コード収納室２３へ流すための吸入口１７を設け、エアガイド２４によって誘導されファン側排気口７からファン部５外周の円筒面の略接線方向に排出される排気の向きが、電動送風機室３にセットされ、最上方になったファン側排気口７の１つを除いて、吸入口１７へ流れ込む直前の排気の水平の向きとは一致しないようにしたもので、カーボン粉が含まれず温度の低いファン側の排気を流すことができ、電動送風機に入り込んだ微細な塵も吸入口に流れ難くでき、電源コード収納室の冷却と清浄化を向上できる。【選択図】図１
2010268981.tif 000002
【特許請求の範囲】
【請求項１】
空気を吸引するファン部に複数のファン側排気口を、モーター部にモーター側排気口を、それぞれ形成した電動送風機を具備する電動送風機室と、電源コードの巻取装置を収納する電源コード収納室とを、隔壁によって左右に分離して並列に配置し、前記隔壁の下部には、ファン側排気口と連通するバイパス通路を介して、前記電動送風機のファン側排気口からの排気を、電源コード収納室へ流すための吸入口を設け、さらに前記電動送風機のファン側排気口内部に設けたエアガイドによって誘導され前記ファン側排気口からファン部外周の円筒面の略接線方向に排出される排気の向きが、電動送風機を電動送風機室にセットした状態で最上方になったファン側排気口の１つを除いて、前記吸入口へ流れ込む直前の排気の水平の向きとは一致しないように構成した電気掃除機。
【請求項２】
電動送風機のモーター部後方に形成された主排気口と、前記主排気口に設けた集塵フィルターＡとを備え、隔壁の吸入口と対向するバイパス通路の端面と隔壁との間に隙間を設けて、前記集塵フィルターＡが目詰まりしたときに、モーター側排気口からの排気が、前記隙間から電源コード収納室へ流れ出る構成とした請求項１記載の電気掃除機。
【請求項３】
バイパス通路に集塵フィルターＢを設けた請求項２に記載の電気掃除機。
【請求項４】
電源コード収納室に排気口を備え、前記排気口は、電源コード巻取装置の回転中心に対して、隔壁の吸入口と略対称の位置に設ける構成とした請求項１〜３のいずれか１項に記載の電気掃除機。
【発明の詳細な説明】
【技術分野】
【０００１】
本発明は、電動送風機の排気により電源コードの冷却を行う電気掃除機に関するものである。
【背景技術】
【０００２】
従来の電気掃除機の電源コードを冷却する方法として、電動送風機のモーター側の排気の一部を電源コード収納室側に流すことで電源コードの冷却を行っている（例えば、特許文献１参照）。
【先行技術文献】
【特許文献】
【０００３】
【特許文献１】特開平１０−１１７９７６号公報
【発明の概要】
【発明が解決しようとする課題】
【０００４】
しかしながら、前記従来の構成では、電動送風機のモーター側の排気の一部を電源コード収納室に流すことで電源コードの冷却を行っており、電動送風機のモーター側の排気には微量にカーボン粉が含まれているため、カーボン粉が電気掃除機本体外に漏れ出るのを防ぐには、排気のカーボン粉を捕集するためのフィルターを設置する必要がある等の課題があった。
【０００５】
本発明は、前記従来の課題を解決するもので、電動送風機のファン側の排気を利用して電源コード収納室の冷却の向上と、電源コード収納室からの排気の清浄化の向上とを実現した電気掃除機の提供を目的とする。
【課題を解決するための手段】
【０００６】
前記従来の課題を解決するために、本発明の電気掃除機は空気を吸引するファン部に複数のファン側排気口を、モーター部にモーター側排気口を、それぞれ形成した電動送風機を具備する電動送風機室と、電源コードの巻取装置を収納する電源コード収納室とを、隔壁によって左右に分離して並列に配置し、前記隔壁の下部には、ファン側排気口と連通するバイパス通路を介して、前記電動送風機のファン側排気口からの排気を、電源コード収納室へ流すための吸入口を設け、さらに前記電動送風機のファン側排気口内部に設けたエアガイドによって誘導され前記ファン側排気口からファン部外周の円筒面の略接線方向に排出される排気の向きが、電動送風機を電動送風機室にセットした状態で最上方になったファン側排気口の１つを除いて、前記吸入口へ流れ込む直前の排気の水平の向きとは一致しないように構成したもので、電動送風機のモーターを冷却した、モーター側の排気の温度に比べて、電動送風機のファン側の排気の温度は低いため、電源コード収納室、特にその中でも温度が高い電源コードの冷却を向上できるようになる。また、電動送風機のモーター側の排気には微量にカーボン粉が含まれているが、ファン側の排気はカーボン粉が含まれていないため、この排気をバイパス通路から隔壁の吸入口より電源コード収納室に流すことにより、電源コード収納室からの排気の清浄化を向上でき、また、前記電動送風機のファン部の排気に含まれる空気中の微細な塵をエアガイドによって誘導してファン部の外周の円筒面の略接線方向に排出される排気の向きが、電動送風機が電動送風機室に組み込まれて、複数のファン側排気口の内、最上方の位置になったファン側排気口の１つを除いて、隔壁の吸入口へ流れ込む直前の排気の水平の向きと一致しないようになるため、電動送風機が電動送風機室に組み込まれて、複数のファン側排気口の内、最下方の位置になったファン側排気口からの排気の向きが、隔壁の吸入口へ流れ込む直前の排気の水平の向
きと一致することもなく、複数のファン側排気口からスムーズに吸入口へ向かう排気の向きがなくなり、これに伴って前記微細な塵も、スムーズに吸入口へ流れ込むことを防ぐことができ、結果として電源コード収納室からの排気の清浄化を、更に向上できるものである。
【発明の効果】
【０００７】
本発明の電気掃除機によれば、電源コード収納室の冷却と、電源コード収納室からの排気の清浄化とを、向上した電気掃除機を提供することができる。
【図面の簡単な説明】
【０００８】
【図１】本発明の実施の形態１における電気掃除機の水平断面図
【図２】本発明の実施の形態１の電気掃除機の横断面図
【図３】本発明の実施の形態１の電気掃除機の電源コード収納室の縦断面図
【図４】本発明の実施の形態２における電気掃除機の水平断面図
【図５】本発明の実施の形態２の電気掃除機の横断面図
【発明を実施するための最良の形態】
【０００９】
第１の発明は、空気を吸引するファン部に複数のファン側排気口を、モーター部にモーター側排気口を、それぞれ形成した電動送風機を具備する電動送風機室と、電源コードの巻取装置を収納する電源コード収納室とを、隔壁によって左右に分離して並列に配置し、前記隔壁の下部には、ファン側排気口と連通するバイパス通路を介して、前記電動送風機のファン側排気口からの排気を、電源コード収納室へ流すための吸入口を設け、さらに前記電動送風機のファン側排気口内部に設けたエアガイドによって誘導され前記ファン側排気口からファン部外周の円筒面の略接線方向に排出される排気の向きが、電動送風機を電動送風機室にセットした状態で最上方になったファン側排気口の１つを除いて、前記吸入口へ流れ込む直前の排気の水平の向きとは一致しないように構成したもので、電動送風機のモーターを冷却した、モーター側の排気の温度に比べて、電動送風機のファン側の排気の温度は低いため、電源コード収納室、特にその中でも温度が高い電源コードの冷却を向上できるようになる。また、電動送風機のモーター側の排気には微量にカーボン粉が含まれているが、ファン側の排気はカーボン粉が含まれていないため、この排気をバイパス通路から隔壁の吸入口より電源コード収納室に流すことにより、電源コード収納室からの排気の清浄化を向上でき、また、前記電動送風機のファン部の排気に含まれる空気中の微細な塵をエアガイドによって誘導してファン部の外周の円筒面の略接線方向に排出される排気の向きが、電動送風機が電動送風機室に組み込まれて、複数のファン側排気口の内、最上方の位置になったファン側排気口の１つを除いて、隔壁の吸入口へ流れ込む直前の排気の水平の向きと一致しないようになるため、電動送風機が電動送風機室に組み込まれて、複数のファン側排気口の内、最下方の位置になったファン側排気口からの排気の向きが、隔壁の吸入口へ流れ込む直前の排気の水平の向きと一致することもなく、複数のファン側排気口からスムーズに吸入口へ向かう排気の向きがなくなり、これに伴って前記微細な塵も、スムーズに吸入口へ流れ込むことを防ぐことができ、結果として電源コード収納室からの排気の清浄化を、更に向上できるものである。
【００１０】
第２の発明は、第１の発明に加えて、電動送風機のモーター部後方に形成された主排気口と、前記主排気口に設けた集塵フィルターＡとを備え、隔壁の吸入口と対向するバイパス通路の端面と隔壁との間に隙間を設け、前記隙間とモーター側排気口とを連通させて、前記集塵フィルターＡが目詰まりしたときに、モーター側排気口からの排気が、前記隙間から電源コード収納室へ流れ出る構成としたもので、モーター側排気口の排気に含まれる微量のカーボン粉等の塵埃を集塵フィルターＡで清浄化することで、主排気口の排気を清潔にすることができる。また、主排気口の集塵フィルターＡがモーター側排気口からの排気に含まれるカーボン粉等の塵埃の蓄積による目詰まりが生じたときに、モーター側排気
口からの排気が、バイパス通路と隔壁の吸入口の隙間から電源コード収納室へ流れ出ることが可能となり、モーター側排気口部の温度上昇および圧力上昇を防ぐことができるものである。
【００１１】
第３の発明は、第２の発明に加えて、ファン側排気のバイパス通路に集塵フィルターＢを設けたもので、ファン部の排気に微量に含まれる空気中の塵埃を集塵フィルターＢによって清浄化することで、電源コード収納室への排気をさらに清潔にすることができる。また、バイパス通路の集塵フィルターＢが塵埃の蓄積により目詰まりが生じたときに、ファン側排気口からの排気による電源コードの冷却が不可能となるが、モーター側排気口の排気が、バイパス通路と隔壁の吸入口の隙間から電源コード収納室へ流れ出るため、電源コードの冷却を確実に行うことができるものである。
【００１２】
第４の発明は、第１〜第３のいずれか１つの発明に加えて、電源コード収納室に排気口を備え、前記排気口は、電源コード巻取装置の回転中心に対して、隔壁の吸入口と略対称の位置に設ける構成としたもので、隔壁の吸入口の吸気が確実に電源コード部全体を通過して電源コード収納室の排気口へと流れるため、効率よく確実に電源コードの冷却を行うことができるようになるものである。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における電気掃除機本体の水平断面図、図２は同電気掃除機本体の横断面図、図３は電源コード収納室の縦断面図を示すものである。
【００１５】
図１〜図３において、電気掃除機本体１は、集塵室２の後方に電動送風機室３を形成している。電動送風機室３は、塵埃と空気を吸い込むための電動送風機４を備え、電動送風機４にはファン部５とファンを回転させるモーター部６にて構成され、ファン部５とモーター部６にはそれぞれ複数のファン側排気口７とモーター側排気口８を備えている。ファン側排気口７の内側には、効率よく排気を放出するためのエアガイド２４が渦巻き状に形成されている。電動送風機３のファン部５の内側に構成されたエアガイド２４が誘導する排気の方向は、ファン部５の外周円筒面の略接線方向となり、電動送風機４が電動送風機室３に組み込まれた際、複数のファン側排気口７の内、最上方の位置になったファン側排気口７の１つを除いて、以下に説明する、バイパス通路１５から隔壁１６の吸入口１７へ流れ込む直前の排気の水平の向きとは、一致しないように形成されている。
【００１６】
次に、電動送風機４を覆うようにケース上９とケース下１０を構成し、ケース上９とケース下１０に設けた区画壁１１により、ケース上９とケース下１０の内部をファン室１２とモーター室１３に区画されている。モーター室１３には電動送風機４に連通するモーター側排気穴１４が構成されており、ファン室１２側にはファン部５の排気を流すためのバイパス通路１５が構成されている。
【００１７】
電動送風機室３の横には、それと平行に隔壁１６が配設され、電動送風機室３側と電源コード収納室２３とを分離している。また、隔壁１６の下部には吸入口１７が設けられ、バイパス通路１５と連通されている。
【００１８】
これにより、モーター側排気口８の排気は電動送風機４に流れ、次に電気掃除機本体１後部に形成された主排気口１８と主排気口１８に具備した排気フィルター（集塵フィルターＡ）１９を通過し電気掃除機本体１の外へ排気される。また、ファン側排気口７の排気はバイパス通路１５から隔壁１６の吸入口１７を通過し電源コード収納室３に流れ、コー
ド出口２０より電気掃除機本体１外へ排出される。コード出口２０は、電源コード２１の巻取装置の回転中心に対して隔壁１６の吸入口１７と略対称の位置に設けられている。
【００１９】
以上のように構成された電気掃除機について、以下その動作、作用を説明する。
【００２０】
図１、図２に示すように、電動送風機４の吸引により塵埃と空気を吸引し、集塵袋２２により塵埃と空気を分離し、空気のみが電動送風機４に流れる。吸引された空気の一部はファン側排気口７から、残りの空気はモーター側排気口８からそれぞれ排出される。まず、モーター側排気口８の排気はモーターの冷却風として利用されモーター部６を冷却した後にモーター側排気穴１４より排出されるために、モーターの回転によって生じるカーボン粉を一部含み排気される。そのカーボン粉を含んだ排気を排気フィルター１９によりカーボン粉を捕集して主排気口１８より電気掃除機本体１外に排出する。次にファン側排気口７の排気は、エアガイド２４によって一定方向に誘導されてファン部５の外周円筒面の略接線方向に排出されて、外周円筒面のまわりを流れる旋回流となり、その多くがバイパス通路１５から隔壁１６の吸入口１７を通過し、電源コード２１の冷却に利用されてコード出口２０より電気掃除機本体１の外へ排出され、残りの排気は電動送風機室３の区画壁１１の隙間を抜けモーター側排気穴１４より排出される。ファン側排気口７の排気はモーター部６を通過しないため、カーボン粉を含まず、特別にフィルターを設置せずともコード出口２０の排気は清潔なものとなる。
【００２１】
さらに、電動送風機室３のバイパス通路１５と、隔壁１６の吸入口１７を横に配列したことにより、ケース上９とケース下１０で覆われた電動送風機４と隔壁１６を電気掃除機本体１に組み立てるときの順番が規制されない。また、組立後にバイパス通路１５と隔壁１６の吸入口１７の位置関係を電気掃除機本体１上方より確認することができるため、確実に組立を行うことができ、組立作業性の良い構成となるものである。
【００２２】
また、電動送風機４のエアガイド２４によって誘導した複数のファン側排気口７の排気の向きが、最上方に位置するファン側排気口７の１つを除いて、バイパス通路１５から隔壁１６の吸入口１７に排出する直前の排気の水平の向きと一致しないように構成されていることにより、集塵袋２２で捕集されずに通過した微細な塵埃が空気とともに電動送風機４に流れたとき、ファン側排気口７から塵埃が排出されることになるが、塵埃はエアガイド２４によって誘導されてファン部５外周を一定の回転方向に流れるため、その空気の流れの向きの内、一部しか、吸入口１７へ流れ込む直前の排気の水平向きと一致しておらず、逆にほとんどが一致していないため、上記微細な塵埃が、スムーズに吸入口１７から排出されることはなく、電源コード収納室２３への塵埃の流出を抑えることができる。そしてファン側排気口７から排出された塵埃はファン部５外周を旋回した後、電動送風機室３の区画壁１１の隙間からモーター側排気穴１４へ進み、排気フィルター１９により捕集されて空気のみが主排気口１８より電気掃除機本体１外に排出する。
【００２３】
また、電気掃除機本体１後部に形成されたコード出口２０が、電源コード２１の巻取装置の回転中心に対して隔壁１６の吸入口１７と略対称の方向に設けられているため、隔壁１６の吸入口１７から流入した排気が確実に電源コード収納室２３全体を通過してコード出口２０へ流れるため、効率よく確実に電源コード２１の冷却を行うことができる。
【００２４】
（実施の形態２）
図４は、本発明の第２の実施の形態における電気掃除機本体の水平断面図、図５は電気掃除機本体の横断面図を示すものである。
【００２５】
図４、図５において、電気掃除機本体１後部に形成された主排気口１８に具備した排気フィルター１９が高集塵のフィルターで構成されており、電動送風機室３のバイパス通路
１５内側に具備したバイパスフィルター（集塵フィルターＢ）２５にも高集塵のフィルターを設けている。さらに、バイパス通路１５と隔壁１６の吸入口１７には約１〜３ｍｍの隙間を設けている。
【００２６】
以上のように構成された電気掃除機について、以下その動作、作用を説明する。
【００２７】
モーター側排気口８の排気に含まれる微量のカーボン粉等の塵埃を高集塵の排気フィルター１９で捕集することで、主排気口１８の排気を清浄化して電気掃除機本体１外へ排出することができる。また、ファン部５において、バイパスフィルター２５の塵埃の蓄積等がなく、バイパス通路１５からの排気の流速が速い状態においては、隔壁１６の吸入口１７の吸気においてファン側排気口７からの排気が支配的となる。
【００２８】
主排気口１８の高集塵の排気フィルター１９がモーター側の排気に含まれるカーボン粉等の塵埃の蓄積によって目詰まりが生じたとき、モーター側排気口８の排気が主排気口１８から電気掃除機本体１外へ排出される経路が遮断されるが、このときモーター側排気口８の排気の圧力の上昇が生じるため、モーター側排気口８の排気がバイパス通路１５と隔壁１６の吸入口１７の隙間から電源コード収納室２３へ流出するようになり、電動送風機室３の温度上昇および圧力上昇を防ぐことができる。
【００２９】
また、集塵袋２２で捕集されずに通過した微細な塵埃が空気とともに電動送風機４に流れたとき、ファン側排気口７から排出される塵埃をバイパスフィルター２５で清浄化することで、電源コード収納室２３からの排気を清潔に保つことができる。また、バイパスフィルター２５が空気中の塵埃の蓄積によって目詰まりが生じたとき、ファン側排気口７からの排気による電源コード２１の冷却通路が遮断されることとなるが、バイパス通路１５からの排気の流速の低下に伴って、電動送風機室３のモーター側排気口８の排気圧が支配的になり、モーター側排気口８の排気がバイパス通路１５と隔壁１６の吸入口１７の隙間から電源コード収納室２３へ流出するため、電源コード２１の冷却を確実に行うことができる。
【産業上の利用可能性】
【００３０】
以上のように、本発明にかかる電気掃除機は、電源コード収納室の冷却と、電源コード収納室からの排気の清潔性の向上が可能となるので、電動送風機の排気を直接用いた各種デバイスの冷却等の用途にも適用できる。
【符号の説明】
【００３１】
３  電動送風機室
４  電動送風機
５  ファン部
６  モーター部
７  ファン側排気口
８  モーター側排気口
１５  バイパス通路
１６  隔壁
１７  吸入口
１８  主排気口
２１  電源コード
２３  電源コード収納室
２４  エアガイド
【図１】
2010268981.tif 000003
【図２】
2010268981.tif 000004
【図３】
2010268981.tif 000005
【図４】
2010268981.tif 000006
【図５】
2010268981.tif 000007